【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
複数のチャンネルを介して外部接続機器より送信されたオーディオ信号を受信するオーディオ信号受信装置であって、
前記複数のチャンネルそれぞれで送信されている前記オーディオ信号の音源種別を表す音源種別情報と、前記外部接続機器が再生している前記オーディオ信号の音源種別を表す外部接続機器再生音源情報と、を含む音源情報を受信する音源情報受信部と、
前記複数のチャンネルそれぞれで送信されている前記オーディオ信号を受信するオーディオ信号受信部と、
前記音源情報に基づいて再生可能なオーディオ信号の音源種類を判別して再生可能音源とする再生可能音源設定部と、
を備え、
前記再生可能音源設定部は、前記外部接続機器が再生しているオーディオ信号の音源を、再生可能音源に設定する、オーディオ信号受信装置。
【請求項２】
前記オーディオ信号受信装置は、前記再生可能音源の中から再生する音源を選択する音源選択部を更に備える、請求項１に記載のオーディオ信号受信装置。
【請求項３】
前記音源選択部が、第１のチャンネルに対応した前記オーディオ信号を選択しており、前記外部接続機器再生音源情報が当該第１のチャンネルに対応した前記オーディオ信号を表す情報に変更となった際に、
前記再生可能音源設定部は、当該変更の直前における前記オーディオ信号受信装置の状態を記憶する、請求項２に記載のオーディオ信号受信装置。
【請求項４】
前記外部接続機器再生音源情報が第１のチャンネルに対応した前記オーディオ信号を表す情報となっており、前記音源選択部が当該第１のチャンネルに対応した前記オーディオ信号を選択した際に、
前記再生可能音源設定部は、前記外部接続機器が再生している前記第１のチャンネルのバンド以外の選択を禁止する、請求項２に記載のオーディオ信号受信装置。
【請求項５】
前記オーディオ信号受信装置は、所定の情報を表示する表示部を更に備え、
前記表示部には、前記外部接続機器が再生しているオーディオ信号の音源であることを示す情報と、前記外部接続機器が再生している音源種別を示す情報とが表示される、請求項１に記載のオーディオ信号受信装置。
【請求項６】
前記再生可能音源設定部は、前記外部接続機器再生音源情報に記載されている音源種別の表示を、前記外部接続機器が再生している音源種別であることを示すように変更させる、請求項１に記載のオーディオ信号受信装置。
【請求項７】
前記オーディオ信号受信部が、前記外部接続機器再生音源情報に記載されている音源種別に対応した前記オーディオ信号を受信している際に、
前記オーディオ信号受信装置により前記外部接続機器への操作を行うことが禁止される、請求項１に記載のオーディオ信号受信装置。
【請求項８】
複数のチャンネルを介して外部接続機器より送信されたオーディオ信号を受信するオーディオ信号受信方法であって、
前記複数のチャンネルそれぞれで送信されている前記オーディオ信号の音源種別を表す音源種別情報と、前記外部接続機器が再生している前記オーディオ信号の音源種別を表す外部接続機器再生音源情報と、を含む音源情報を受信する音源情報受信ステップと、
前記音源情報に基づいて再生可能なオーディオ信号の音源種類を判別して再生可能音源とするとともに、前記外部接続機器が再生しているオーディオ信号の音源を、再生可能音源に設定する再生可能音源設定ステップと、
前記オーディオ信号を前記外部接続機器から受信するステップと、
を含む、オーディオ信号受信方法。
【請求項９】
コンピュータを、複数のチャンネルを介して外部接続機器より送信されたオーディオ信号を受信するオーディオ信号受信装置として機能させるためのプログラムであって、
前記複数のチャンネルそれぞれで送信されている前記オーディオ信号の音源種別を表す音源種別情報と、前記外部接続機器が再生している前記オーディオ信号の音源種別を表す外部接続機器再生音源情報と、を含む音源情報を受信する音源情報受信機能と、
前記音源情報に基づいて再生可能なオーディオ信号の音源種類を判別して再生可能音源とするとともに、前記外部接続機器が再生しているオーディオ信号の音源を、再生可能音源に設定する再生可能音源設定機能と、
前記複数のチャンネルそれぞれで送信されている前記オーディオ信号を受信する機能と、
をコンピュータに実現させる、プログラム。
【請求項１０】
オーディオ信号を複数のチャンネルを介して送信するオーディオ信号送信装置と、前記オーディオ信号送信装置から前記オーディオ信号を受信するオーディオ信号受信装置と、備えるオーディオ信号伝送システムであって、
前記オーディオ信号送信装置は、
前記複数のチャンネルそれぞれで送信されている前記オーディオ信号の音源種別を表す音源種別情報と、前記オーディオ信号受信装置が再生している前記オーディオ信号の音源種別を表す第１の外部接続機器再生音源情報と、を含む音源情報を前記オーディオ信号受信装置に送信する伝送制御部と、
前記オーディオ信号を前記オーディオ信号受信装置に送信するオーディオ信号送信部と、
を備え、
前記オーディオ信号受信装置は、
前記複数のチャンネルそれぞれで送信されている前記オーディオ信号の音源種別を表す音源種別情報と、前記オーディオ信号送信装置が再生している前記オーディオ信号の音源種別を表す第２の外部接続機器再生音源情報と、を含む音源情報を前記オーディオ信号送信装置から受信する音源情報受信部と、
前記オーディオ信号を前記オーディオ信号送信装置から受信するオーディオ信号受信部と、
前記音源情報に基づいて再生可能なオーディオ信号の音源種類を判別して再生可能音源とする再生可能音源設定部と、を備え、
前記再生可能音源設定部は、前記オーディオ信号送信装置が再生しているオーディオ信号の音源を、再生可能音源に設定する、オーディオ信号伝送システム。
【手続補正２】
【補正対象書類名】明細書
【補正対象項目名】０００９
【補正方法】変更
【補正の内容】
【０００９】
上記課題を解決するために、本発明のある観点によれば、複数のチャンネルを介して外部接続機器より送信されたオーディオ信号を受信するオーディオ信号受信装置であって、前記複数のチャンネルそれぞれで送信されている前記オーディオ信号の音源種別を表す音源種別情報と、前記外部接続機器が再生している前記オーディオ信号の音源種別を表す外部接続機器再生音源情報と、を含む音源情報を受信する音源情報受信部と、前記複数のチャンネルそれぞれで送信されている前記オーディオ信号を受信するオーディオ信号受信部と、前記音源情報に基づいて再生可能なオーディオ信号の音源種類を判別して再生可能音源とする再生可能音源設定部と、を備え、前記再生可能音源設定部は、前記外部接続機器が再生しているオーディオ信号の音源を、再生可能音源に設定するオーディオ信号受信装置が提供される。
【手続補正３】
【補正対象書類名】明細書
【補正対象項目名】００１１
【補正方法】変更
【補正の内容】
【００１１】
前記音源選択部が、第１のチャンネルに対応した前記オーディオ信号を選択しており、前記外部接続機器再生音源情報が当該第１のチャンネルに対応した前記オーディオ信号を表す情報に変更となった際に、前記再生可能音源設定部は、当該変更の直前における前記オーディオ信号受信装置の状態を記憶してもよい。
【手続補正４】
【補正対象書類名】明細書
【補正対象項目名】００１２
【補正方法】変更
【補正の内容】
【００１２】
前記外部接続機器再生音源情報が第１のチャンネルに対応した前記オーディオ信号を表す情報となっており、前記音源選択部が当該第１のチャンネルに対応した前記オーディオ信号を選択した際に、前記再生可能音源設定部は、前記外部接続機器が再生している前記第１のチャンネルのバンド以外の選択を禁止してもよい。
【手続補正５】
【補正対象書類名】明細書
【補正対象項目名】００１５
【補正方法】変更
【補正の内容】
【００１５】
前記オーディオ信号受信部が、前記外部接続機器再生音源情報に記載されている音源種別に対応した前記オーディオ信号を受信している際に、前記オーディオ信号受信装置により前記外部接続機器への操作を行うことが禁止されてもよい。
【手続補正６】
【補正対象書類名】明細書
【補正対象項目名】００１６
【補正方法】変更
【補正の内容】
【００１６】
上記課題を解決するために、本発明の別の観点によれば、複数のチャンネルを介して外部接続機器より送信されたオーディオ信号を受信するオーディオ信号受信方法であって、前記複数のチャンネルそれぞれで送信されている前記オーディオ信号の音源種別を表す音源種別情報と、前記外部接続機器が再生している前記オーディオ信号の音源種別を表す外部接続機器再生音源情報と、を含む音源情報を受信する音源情報受信ステップと、前記音源情報に基づいて再生可能なオーディオ信号の音源種類を判別して再生可能音源とするとともに、前記外部接続機器が再生しているオーディオ信号の音源を、再生可能音源に設定する再生可能音源設定ステップと、前記オーディオ信号を前記外部接続機器から受信するステップと、を含むオーディオ信号受信方法が提供される。
【手続補正７】
【補正対象書類名】明細書
【補正対象項目名】００１７
【補正方法】変更
【補正の内容】
【００１７】
上記課題を解決するために、本発明の更に別の観点によれば、コンピュータを、複数のチャンネルを介して外部接続機器より送信されたオーディオ信号を受信するオーディオ信号受信装置として機能させるためのプログラムであって、前記複数のチャンネルそれぞれで送信されている前記オーディオ信号の音源種別を表す音源種別情報と、前記外部接続機器が再生している前記オーディオ信号の音源種別を表す外部接続機器再生音源情報と、を含む音源情報を受信する音源情報受信機能と、前記音源情報に基づいて再生可能なオーディオ信号の音源種類を判別して再生可能音源とするとともに、前記外部接続機器が再生しているオーディオ信号の音源を、再生可能音源に設定する再生可能音源設定機能と、前記複数のチャンネルそれぞれで送信されている前記オーディオ信号を受信する機能と、をコンピュータに実現させるためのプログラムが提供される。
【手続補正８】
【補正対象書類名】明細書
【補正対象項目名】００１９
【補正方法】変更
【補正の内容】
【００１９】
上記課題を解決するために、本発明の更に別の観点によれば、オーディオ信号を複数のチャンネルを介して送信するオーディオ信号送信装置と、前記オーディオ信号送信装置から前記オーディオ信号を受信するオーディオ信号受信装置と、備えるオーディオ信号伝送システムであって、前記オーディオ信号送信装置は、前記複数のチャンネルそれぞれで送信されている前記オーディオ信号の音源種別を表す音源種別情報と、前記オーディオ信号受信装置が再生している前記オーディオ信号の音源種別を表す第１の外部接続機器再生音源情報と、を含む音源情報を前記オーディオ信号受信装置に送信する伝送制御部と、前記オーディオ信号を前記オーディオ信号受信装置に送信するオーディオ信号送信部と、を備え、前記オーディオ信号受信装置は、前記複数のチャンネルそれぞれで送信されている前記オーディオ信号の音源種別を表す音源種別情報と、前記オーディオ信号送信装置が再生している前記オーディオ信号の音源種別を表す第２の外部接続機器再生音源情報と、を含む音源情報を前記オーディオ信号送信装置から受信する音源情報受信部と、前記オーディオ信号を前記オーディオ信号送信装置から受信するオーディオ信号受信部と、前記音源情報に基づいて再生可能なオーディオ信号の音源種類を判別して再生可能音源とする再生可能音源設定部と、を備え、前記再生可能音源設定部は、前記オーディオ信号送信装置が再生しているオーディオ信号の音源を、再生可能音源に設定するオーディオ信号伝送システムが提供される。
【手続補正９】
【補正対象書類名】明細書
【補正対象項目名】００６２
【補正方法】変更
【補正の内容】
【００６２】
例えば図４Ａに示した例は、識別ＩＤ（Ｓ−ＡＩＲ  ＩＤ）がＡに設定されている親機１と、識別ＩＤ（Ｓ−ＡＩＲ  ＩＤ）がＡに設定されているメイン子機２が２台存在している場合である。メイン子機２が親機１との接続を確立しようとする場合には、親機１またはメイン子機２の少なくともいずれかの接続制御部は、接続を希望する機器に対して、自身に設定されている識別ＩＤを送信する。識別ＩＤを受信した機器の接続制御部は、識別ＩＤが一致しているか否かを判定して、接続を確立するか否かを判断する。図４Ａに示した例では、親機１と２台のメイン子機２の識別ＩＤが同一であるため、２台のメイン子機２は、それぞれ親機１と接続を確立することが可能である。
【手続補正１０】
【補正対象書類名】明細書
【補正対象項目名】００８８
【補正方法】変更
【補正の内容】
【００８８】
［マルチソースモード］
次に、図６Ｃおよび図６Ｄを参照しながら、親機のモードの一つであるマルチソースモードについて、詳細に説明する。図６Ｃおよび図６Ｄは、基本技術における親機のモードを説明するための説明図である。
【手続補正１１】
【補正対象書類名】明細書
【補正対象項目名】０１９４
【補正方法】変更
【補正の内容】
【０１９４】
オーディオ信号出力部２２３は、オーディオ信号送信装置１０から送信されたオーディオ信号を出力する処理部である。オーディオ信号出力部２２３は、図１３に示したように、例えば、ＤＡ変換部２２５と、増幅部２２７と、スピーカー２２９と、から構成される。
【手続補正１２】
【補正対象書類名】明細書
【補正対象項目名】０２０９
【補正方法】変更
【補正の内容】
【０２０９】
オーディオ信号送信部１５５は、例えば、ＣＰＵ、ＲＯＭ、ＲＡＭ、ＥＥＰＲＯＭ、ＤＳＰ、外部機器通信部等から構成され、伝送制御部１５３から伝送されたチャンネル（ＣＨ）マッピング情報に基づいて、オーディオ信号を各チャンネルに分配し、オーディオ信号受信装置２０へと送信する。また、ＣＨマッピング情報に記載されている各チャンネルにおけるオーディオ信号の種別（オーディオ信号の属性）に適応させるために、送信予定のオーディオ信号に対して変換を行う必要がある場合には、オーディオ信号送信部１５５は、送信予定のオーディオ信号に対して所定の変換処理を施し、変換後のオーディオ信号を送信する。ここで、上記の変換処理とは、例えば、変換前のオーディオ信号が、５．１チャンネルに対応したオーディオ信号であった場合に、通常の２チャンネルのオーディオ信号へとダウンミックスする場合等が考えられる。
【手続補正１３】
【補正対象書類名】明細書
【補正対象項目名】０２１８
【補正方法】変更
【補正の内容】
【０２１８】
また、接続制御部２５１は、上記接続情報をオーディオ信号送信装置１０に送信する際に、オーディオ信号受信装置２０を特定する識別子等をあわせて送信してもよい。
【手続補正１４】
【補正対象書類名】明細書
【補正対象項目名】０２２２
【補正方法】変更
【補正の内容】
【０２２２】
オーディオ信号再生部２５５は、例えば、ＣＰＵ、ＲＯＭ、ＲＡＭ、ＥＥＰＲＯＭ、ＤＳＰ、外部機器通信部等から構成され、ＣＰＵ伝送制御部２５３が取得したオーディオ信号送信装置１０から送信されているオーディオ信号を再生する。オーディオ信号を再生する際に、オーディオ信号再生部２５５は、ボリュームの調整やオーディオ信号の走行制御を行うことが可能である。また、オーディオ信号を再生する際に、オーディオ信号再生部２５５は、後述する記憶部２６１に記録されている各種データベースを参照してもよい。
【手続補正１５】
【補正対象書類名】明細書
【補正対象項目名】０２３０
【補正方法】変更
【補正の内容】
【０２３０】
音源情報受信部２７１は、例えば、ＣＰＵ、ＲＯＭ、ＲＡＭ、ＥＥＰＲＯＭ、ＤＳＰ、外部機器通信部等から構成され、複数のチャンネルそれぞれで送信されているオーディオ信号の音源種別を表す音源種別情報と、外部接続機器であるオーディオ信号送信装置１０が再生しているオーディオ信号の音源種別を表す外部接続機器再生音源情報と、を含む音源情報を、オーディオ信号送信装置１０から受信する。音源情報の受信に際して、音源情報受信部２７１は、記憶部２６１に記録されている各種のデータベース等を利用してもよい。
【手続補正１６】
【補正対象書類名】明細書
【補正対象項目名】０２３５
【補正方法】変更
【補正の内容】
【０２３５】
再生可能音源設定部２７３は、例えば、ＣＰＵ、ＲＯＭ、ＲＡＭ、ＥＥＰＲＯＭ、ＤＳＰ、外部機器通信部等から構成され、音源情報受信部２７１から伝送された音源種別情報に基づいて、オーディオ信号受信装置２０で再生可能な音源を設定する。また、再生可能音源設定部２７３は、音源情報受信部２７１から伝送された外部接続機器再生音源情報に基づいて、外部接続機器であるオーディオ信号送信装置１０が再生しているオーディオ信号の音源を、外部接続機器再生音源として再生可能音源に設定する。以下の説明では、外部接続機器再生音源を、「メインユニットファンクション」と称することとする。また、オーディオ信号受信装置で再生可能な音源を「サブファンクション」と称することとする。
【手続補正１７】
【補正対象書類名】明細書
【補正対象項目名】０２４０
【補正方法】変更
【補正の内容】
【０２４０】
以上、本実施形態に係る伝送制御部２５３について、詳細に説明した。なお、オーディオ信号受信装置２０は、上記処理部以外にも、各種処理部が設けられていてもよい。また、本実施形態に係るオーディオ信号受信装置２０では、外部接続機器からのオーディオ信号の受信や、外部接続機器との双方向通信は、無線伝送により行われてもよく、有線伝送により行われてもよいが、無線伝送により行われることが好ましい。
【手続補正１８】
【補正対象書類名】明細書
【補正対象項目名】０２７０
【補正方法】変更
【補正の内容】
【０２７０】
再生可能音源設定部２８１は、例えば、ＣＰＵ、ＲＯＭ、ＲＡＭ、ＥＥＰＲＯＭ、ＤＳＰ、外部機器通信部等から構成され、音源情報受信部２７１から伝送された音源種別情報に基づいて、オーディオ信号受信装置２０で再生可能な音源を設定する。また、再生可能音源設定部２８１は、音源情報受信部２７１から伝送された外部接続機器再生音源情報に基づいて、外部接続機器であるオーディオ信号送信装置１０が再生しているオーディオ信号の音源を、ＤＶＤやＣＤ等のように音源種別を表す表示ではなく、「ＭＡＩＮ  ＵＮＩＴ」として表示させるように表示制御部２５７に伝送する。
【手続補正１９】
【補正対象書類名】明細書
【補正対象項目名】０２７１
【補正方法】変更
【補正の内容】
【０２７１】
より具体的には、本変形例に係る再生可能音源設定部２８１では、音源情報受信部２７１から伝送された音源種別情報に基づいて、メインチャンネルに割り当てられているオーディオ信号に対応した音源（すなわち、ＤＶＤや、ＣＤや、ＡＭやＦＭのようなＴＵＮＥＲや、ＸＭや、ＤＭＰＯＲＴや、ＡＵＤＩＯ  ＩＮ等のファンクション）を再生可能音源として設定する。なお、この際に、外部接続機器再生音源情報に記載されている音源種別に関しては、ファンクション名で記載するかわりに、「ＭＡＩＮ  ＵＮＩＴ」として表示させるように設定する。
【手続補正２０】
【補正対象書類名】明細書
【補正対象項目名】０２７７
【補正方法】変更
【補正の内容】
【０２７７】
また、親機がＤＶＤからＴＵＮＥＲファンクションであるＦＭへとファンクションを変更した場合、親機にはＴＵＮＥＲを受信するデバイスであるチューナーパックは１つしかないのが一般的であるため、子機では親機と独立してＴＵＮＥＲバンドを選択することはできない。そのため、本変形例に係る再生可能音源設定部２８１では、図２１の下図に示したように、親機でＴＵＮＥＲであるＦＭ、ＡＭのいずれかが選択されている場合には、子機では、ＦＭ、ＡＭの各ファンクションをまとめて「ＭＡＩＮ  ＵＮＩＴ（ＴＵＮＥＲ）」として表示されるように設定する。なお、この再生可能音源の設定時には、再生可能音源設定部２８１は、記憶部２６１に記録されている各種データベース等を参照しながら処理を実行してもよい。